(57)【要約】【課題】和装時など女性の活動シーンにおいてより使い易いショーツを得ること。【解決手段】従来のショーツ構成部材を、必須の構成部材のみに絞ってスリム化されたショーツにおいて、併せて大股割構造を組み込むことによって、股割れと被覆の相反事項を解決し、大股割構成の支持点を４箇所とし、うち前部の１点を着脱自在とすることで大股割ショーツを実現した。第２の発明の構成は、従来ショーツから胴廻し１０を省略除外し、装着の一極側として後部に後部安定帯３２を配置、対極として股布帯ｂ３０の前端に、２本の安定帯３３を連結配置、伸縮性を有する２本の装着帯２５を介して後部安定帯３２の両端と連結一連化することで装着可能なショーツ基本体を構成し、被覆領域に設置する装飾体４１のデザインを、少なくとも当該装着者が創作に関るものとしてオリジナル化されたショーツを構成する。【選択図】図１
2020059961.tif 000002
【特許請求の範囲】
【請求項１】
女性が和装時の排泄に備えて着装する股割れショーツにおいて、
従来ショーツを構成する胴廻し（１０）に一体でなる、前見頃、後見頃、の存在を省略してこれを無しとし、
股布左辺（２１）と股布右辺（２２）の２枚を重ねてなる股布帯（２０）の後端を前記省略した後見頃に替えて延伸し、前記胴廻し（１０）の後部中央の交点に固着一体化して、これを大股割構造の支持点（イ）とし、その前端は股に沿って前方へ、少なくとも陰部を被覆保護する長さと、
前記股布帯（２０）の、前部において前記２枚の重ねを左右にずらせて陰部を被覆保護するための幅を確定し、少なくとも一組の着脱自在な固着手段（２４）を設置して前記ずらせた２枚を固着し、此処を支持点（ロ）として決定される前記股布帯（２０）の前部幅と、
によって構成される股部を被覆保護する股布帯（２０）構造と、
前記股布左辺（２１）と股布右辺（２２）の前端に、従来ショーツの前記省略前身頃に替えて２枚の安定帯（３１）を鼠径部にほぼ沿った略Ｖ字形に配置して、その下端部を股布左右其々に連結し、
配設されてなる前記略Ｖ字形の内側被覆領域を、別途用意されたレースや刺繍などの装飾布をもってデザインされた装飾体（４０）を、前記股布帯（２０）と前記安定帯（３１）に掛けて左右其々設置、又は後付け工程によって設置し、
配設された前記安定帯２枚の他端には、一部が伸縮性素材によってなる帯状の装着帯（２５）の一端を其々連結、その他端は前記略Ｖ字形に沿って左右其々に斜上方に延伸し、胴廻し（１０）上の身体横側乃至その後側寄り位置で左右の支持点（ハ）、（ニ）に其々連結一体化し、これにより全体が一連化された中における４箇所の大股割支持によって、大股割機能を保持するショーツ構造と、
排泄行動に際し前記ショーツの固着手段（２４）を固着解除する使用方法によって前記大股割支持点のバランスを解き、その解かれてなるアンバランスが分割作用となって大股割機能が実行可能となる大股割構造と、
によって構成されることを特徴とした和装用のショーツ。
【請求項２】
ショーツの構成における従来の、Ｔバック形ショーツにおける、前見頃６４を省略し、
それに替えて図５に示す略Ｖ字形をなす安定帯ｂ（３３）の下端と股布帯ｂ（３０）の前端とを連結設置、前記略Ｖ字形の上方を左右の鼠径部にほぼ沿って配置、その二つの上端に、一部が伸縮性素材によってなる帯状の装着帯（２５）２本の一端を２本其々連結し、
その他端は、従来の胴廻し（１０）を省略し、それに替えて腰部に設直されるものとして、臀部上縁部に水平形で配置した後部安定帯（３２）の両端と連結し、前記後部安定帯（３２）の中央下部に前記股布帯ｂ（３０）の後端を連結して全体が一連化構成される構成部材のループ構造と、
前記股布帯ｂ（３０）及び前記安定帯ｂ（３３）が一体的に抱擁する胴体極部である胴体下端前部と、それに対極させる、図６に示す前記臀部上縁部との間を、前記装着帯（２５）２本が、左右二方向からもたらす緊縮性を介して身体への装着性を機能させる装着構造と、
前記略Ｖ字形でなる安定帯ｂ（３３）の設置によって、略Ｖ字形内側を後付け被覆を可能とする被覆可能領域の形成と、
によって構成されるショーツ基本体構造と、
並びに、当該ショーツの装着者が創作又は選択してなる独自の装飾体ｂ（４１）を、前記安定帯ｂ（３３）へ少なくとも後付け設置することで、少なくとも前記被覆可能領域の被覆を成し、併せて、独自装飾の設置を成した被覆／装飾構造と、
によって構成されてなることを特徴としたショーツ。
【請求項３】
請求項２に記載の安定帯ｂ（３３）に対する装飾体ｂ（４１）は、着脱自在な固着関係をなし、装着者の体形／個性に合わせた個別デザインなど様々にデザインされた複数の装飾体ｂ（４１）の中から選ばれる一つと、例えば面ファスナーなどの固着手段を介して交換自在に固着してなる、前記安定帯ｂ（３３）と装飾体ｂ（４１）との組合せ体。
【請求項４】
請求項２に記載の安定帯ｂ（３３）を省略し、装飾体ｂ（４１）に替えることにより実現される、股布帯ｂ（３０）と装飾体ｂ（４１）との組合せ体。
【発明の詳細な説明】
【技術分野】
【０００１】本発明は女性用のショーツに関する。
【背景技術】
【０００２】  現代女性が和装した時の排泄には困難が伴うものがあり、これは和装の歴史において下着では股のない腰巻であったものが、現代の女性が着ける下着は洋装の股付き下着のショーツであることから、その装いの歴史的違いから困難性が発生しているもので、和装とショーツの組合せから起こる困難であり、ほぼ不可避的な事情であった。
また、単に身体に着ける下着としても現代においては様々に変化が見られる。
【先行技術文献】
【０００３】
【特許文献１】実用新案登録３０３０５６５
【特許文献２】実用新案登録３１１３４１４
【発明の概要】
【発明が解決しようとする課題】
【０００４】  女性が和装時に着ける股割ショーツの状況において、排泄後洗浄式の場合従来の股割ショーツは股割れが充分でないことから、便座の内側にショーツがはみ出して残り、洗浄水でショーツが濡れてしまうこととなる。排泄後の着物直しの絡げた着物を元に戻す時に着崩れが起こり易い。【０００５】  従来の股割ショーツでは、股割を大きく設置しても左右の重なりを厚くして股部の保護性を優先すると、使用時に股割れを開く時、衣類ショーツは身体に密着するように出来ているので身体に纏わり付くものがある。このような従来のショーツは排泄に際し身体から引き剥がすかの様に開くことが必要になり、衣類としての引き剥がしに抵抗力が作用して、股割ショーツとしての扱い方がスムーズに行かない実情があった。【０００６】  和装時に失敗なく排泄と洗浄ができ、着物の着崩れがショーツ由来となることを防止する股割れショーツを提供することを課題とする。【０００７】  また、女性自身が自らの女性美をアピールしたいシーンにおいて、また、映像や画像の撮影表現者や、セミヌードで舞うダンサー自身が表現したいシーンなどにおいて、従来品よりも効果的なショーツを実現することを課題とする。【０００８】  特許文献１における先行技術は〔和装用下穿き〕でありながら、股割下着として洗浄式便座に対応するものではなく、現代の和装用下着として不向きに見える。
その特許文献１図４において、右側の股割れ支持点である１ｃ，２ｃの、対向点である下縁部９は左側に開く股割れ下端部であり、その開口線とクロスして、左側の股割れ支持点である５ｃ，６ｃとその対向点である下縁部１０が図示で設定されている。この場合股を開くことは前記対向線の有り得ない延伸することに等しい配置であるから、少なくとも股割れ進行に対する抵抗となり、この先行技術においては実現は懐疑的となる。【０００９】  また、このような設定の下穿きを着装して股／足を開いたとしてもこの下穿きの股割れ部が開口することは極めて難しいことではないかと思料される。すなわち、着装したとき股関節を中心として大腿はわずかに回動するだけであるから、太股の付け根部において図に示されるほどに股割れするものか、実現は困難であると思わざるを得ないものである。【００１０】  特許文献２における先行技術は、何らかの調整機能を有するものとしての主張であり、本願発明とは目的やその他を異にするものであることから、ここではその重要な構成部分が図において欠落していながらそのことに言及はなく、以下、推察するに過ぎないものである。即ち、身体に装着するためのショーツに胴廻しの存在が無く、省略するものであればそれに代わる装着機能がなくてはショーツではない。図３における、縄でなる環状の掛け部１１が示されるが、この環状縄を例えば腰骨に掛けるのであればその事は無理があり、身体への着装は実現されない構造である。従って実現可能なショーツを構成するものではないと云うべきものである。
【課題を解決するための手段】
【００１１】  女性が和装時の排泄に備えて着装する股割れショーツにおいて、
従来ショーツを構成する胴廻し（１０）に一体でなる、図７に示す前見頃（６４）、後見頃（６３）、の存在を省略してこれを無しとし、
独立した股布左辺（２１）と股布右辺（２２）の２枚を重ねてなる股布帯（２０）の後端を前記省略した後見頃に替えて延伸し、前記胴廻し（１０）の後部中央の交点に固着一体化して、これを大股割構造の支持点（イ）とし、その前端は股に沿って前方へ、少なくとも陰部を被覆保護する長さと、
前記股布帯（２０）の、前部において前記２枚の重ねを左右にずらせて陰部を被覆保護するための幅を確定し、少なくとも一組の着脱自在な固着手段（２４）を設置して前記ずらせた２枚を固着し、此処を支持点（ロ）として決定される前記股布帯（２０）の前部幅と、
によって構成される股部を被覆保護する股布帯（２０）構造と、
前記股布左辺（２１）と股布右辺（２２）の前端に、従来ショーツの前記省略前身頃に替えて２枚の安定帯（３１）を鼠径部にほぼ沿った略Ｖ字形に配置して、その下端部を股布左右其々に連結し、
配設されてなる前記略Ｖ字形の内側被覆領域を、別途用意されたレースや刺繍などの装飾布をもってデザインされた装飾体（４０）を、前記股布帯（２０）と前記安定帯（３１）に掛けて左右其々設置、又は後付け工程によって設置し、
配設された前記安定帯２枚の他端には、一部が伸縮性素材によってなる帯状の装着帯（２５）の一端を其々連結、その他端は前記略Ｖ字形に沿って左右其々に斜上方に延伸し、その支持点となる連結点をできるだけ後退させるため、胴廻し（１０）上の身体横側乃至その後側寄り位置で左右の支持点（ハ）、（ニ）に其々連結一体化し、これにより全体が一連化された中における４箇所の大股割支持によって、大股割機能を保持するショーツ構造と、
排泄行動に際し前記ショーツの固着手段（２４）を固着解除する使用方法によって前記大股割支持点のバランスを解き、その解かれてなるアンバランスが分割作用となって大股割機能が実行可能となる大股割構造と、
によって構成されることを特徴とした和装用のショーツである。【００１２】  ショーツの構成における従来の、図７，Ｃに示すＴバック形ショーツにおける、前見頃６４を省略し、
それに替えて図５に示す略Ｖ字形をなす安定帯ｂ（３３）の下端と股布帯ｂ（３０）の前端とを連結設置、前記略Ｖ字形の上方を左右の鼠径部にほぼ沿って配置、その二つの上端に、一部が伸縮性素材によってなる帯状の装着帯（２５）２本の一端を２本其々連結し、
その他端は、従来の胴廻し（１０）を省略し、それに替えて腰部に設置されるものとして、臀部上縁部に水平形で配置した後部安定帯（３２）の両端と連結し、前記後部安定帯（３２）の中央下部に前記股布帯ｂ（３０）の後端を連結して全体が一連化構成される構成部材のループ構造と、
前記股布帯ｂ（３０）及び前記安定帯ｂ（３３）が一体的に抱擁する胴体極部である胴体下端前部と、それに対極させる、図６に示す前記臀部上縁部との間を、前記装着帯（２５）２本が、左右二方向からもたらす緊縮性を介して身体への装着性を機能させる装着構造と、
前記略Ｖ字形でなる安定帯ｂ（３３）の設置によって、略Ｖ字形内側を後付け被覆を可能とする被覆可能領域の形成と、
によって構成される従来の部材省略後のショーツ基本体構造と、
並びに、当該ショーツの装着者が創作又は選択してなる独自の装飾体ｂ（４１）を、前記安定帯ｂ（３３）へ少なくとも後付け設置することで、少なくとも前記被覆可能領域の被覆を成し、併せて、独自装飾の設置を成した被覆／装飾構造と、
によって構成されていることを特徴としたショーツである。【００１３】  請求項２に記載の安定帯ｂ（３３）に対する装飾体ｂ（４１）は、着脱自在な固着関係をなし、装着者の体形／個性に合わせた個別デザインなど様々にデザインされた複数の装飾体ｂ（４１）の中から選ばれる一つと、例えば面ファスナーなどの固着手段を介して交換自在に固着してなる、前記安定帯ｂ（３３）と装飾体ｂ（４１）との組合せ体である。【００１４】  請求項２に記載の安定帯ｂ（３３）を省略し、装飾体ｂ（４１）に替えることにより実現される、股布帯ｂ（３０）と装飾体ｂ（４１）との組合せ体である。
【発明の効果】
【００１５】  第１の発明による効果として、
（ａ）従来の股布部に替えて、陰部の被覆性及び保護性、また装着性を保持しつつ２枚でなる新たな股布帯によって、その股割れ支持点３点を最大限後退させることによって、従来の股割りを超えた大股割りの機能を実現した。
（ｂ）除外した前身頃６４に替えて、所定の形状をもってなる２枚の安定帯３１を前記股布帯左辺右辺の前端部にＶ字形に其々連結設置、この安定帯３１は続く連結方向、及び装着帯２５の緊縮力による牽引方向を左右に分岐することを実現し、鼠径部にほぼ沿いながら、先端に連結した伸縮性を有する前記装着帯２５を介して胴廻しと連結する構造によって、省略前の前身頃に替えて装着の安定化を実現した。
（ｃ）特に、斜上した左右装着帯と胴廻しとの接続点（支持点）を、身体横乃至身体裏側寄りの後方位置に後退させたことで、従来になかった大股割りを実現したものである。また、トイレ施設により便座が大きい例もあるが、これらにも対応は自然なものとなり容易である。
（ｄ）前述のように安定帯がＶ字形に配置されるが、これは大股割れ作用時にＶ字形の左右は離れる。その左右を個別に装飾し、身体に装着したときそのＶ字形の内側が左右の装飾帯４０によって被覆されるものであり、そのための別途デザインによるレースや刺繍などでなる装飾帯４０が提供され、これを少なくとも装着者の選択やデザインによって安定帯３１に後付け可能としたものである。それによって、装着者／創作者のオリジナルデザインショーツが実現できる効果が生み出される。
（ｅ）股布部が２枚で構成され、全体の中で四点で大股割れ支持点を支持し、そのうちの前端部固着手段２４（ロ）で着脱自在に分割する構造としたことで、従来に較べて左右に大きく開くことを実現したものである。便座に座す前に広げた股布左辺２１、股布右辺２２はその後方連結部で支持点（イ）が高い位置であることから臀部の丸みを越え上がる高さとなり、座すると前方の一部を太股によって押えるため、両方の股布辺は便座６５の外側に位置するものとなって、その一部たりとも便座の内に残ることなく座すことが容易にできるようになった。これにより洗浄水がショーツを濡らす恐れは無くなり、所作の稚拙に関らず誰にも失敗なく和服での排泄ができるものとなった。また、排泄と洗浄後、股に残る水滴を清拭する際に便座から一度腰を上げる必要があるが、このとき図４に示す仮止具２３によって大股割状態が維持されていることから、大股割が戻ることなく股の始末を終了させ得る。
（ｆ）大股割りのために前記Ｖ字形部においてこれを左右分割すること、さらに一般的にはこのＶ字形内側部にアンダーヘアが存在し、これを常態として被覆するという一箇所における相反事項を同時進行的に解消したものであり、詳述すれば左右に前記Ｖ字形をなす安定帯３１に、別途デザインされた装飾体を其々に個別に設置したことで、被覆機能と分割機能を同時に作用させ、課題を解決したものである。【００１６】  第２の発明による効果として、被覆領域は従来は前見頃によって一律に被覆されていた（図７）が、実情はショーツ装着者にそれ以外の選択肢が無かったことであり、新たな下着デザインは時代の要請であるともいえるものであった。
従来型から部分的に省略を効果的に進め、胴廻しの無いショーツ構造が成立することへの意外性に加え、これに調和させた少なくとも社会の公序良俗が要請する程度のセクシーな女性表現を実現するものとして、また、装着者自らの創作を後付けすることのできる新ショーツ形の基本体として提供できるものを実現した。【００１７】  被覆領域は個人の体形差が顕著な部位であることから、無条件に全面を被覆することが全体に適合せず、個人差が主張されればこれを尊重し、装着者が自身の体形に合わせた創作をなし、これを前記ショーツの基本体へ後付けすることによってオリジナルショーツとして実現し、個人差を活かすことを実現した。【００１８】  第３の発明による効果として、装飾体における自在なデザイン体は無数に得られるものであり、これを組合せることにより一部ショーツのデザインにこれまで無かった新たな可能性と広がりを提供するものとなり、その女性／装着消費者においては取替え性の容易さとともに、併せて自己主張が実現され易い事、製品の提供者や製品の活用創造者など、広く事業領域を活性化させる効果がある。【００１９】  第４の発明による効果として、量産品となる装着品は装着者は製品選択によることのみとなり、個人のオリジナル性は失われる一方で、量産効果、即ちコスト低減が実現される。
【図面の簡単な説明】
【００２０】
【図１】本発明ショーツを示す正面斜視図、
【図２】本発明ショーツの機能を示す正面の斜視図、
【図３】本発明ショーツの使用状況を示す平面及び一部断面図、
【図４】本発明ショーツの装着状況を示す斜視図、
【図５】本発明ショーツの第２の発明を示す斜視図、
【図６】本発明ショーツの第２の発明を示す側面図、
【図７】従来のショーツの例を示す斜視図。
【発明を実施するための形態】
【００２１】  従来のショーツは股割れショーツも含めて、その一部を除き構成布のほぼ全ての面をもって身体腰周りを包む衣類構成（図７，Ｄに示す）となっており、本発明はこの標準的な部分に改良を加え大股割の仕組みを組み込むことで和装時トイレでの着崩れを防止し、大股割のショーツ操作を容易化して大股割の最大効果を実現した和装用ショーツとしたものである。
【００２２】  また、女性においては、自身を美的アピールしたいとする本能的ともいえる潜在意識は下着着装の場面においても発揮されるものであり、ショーツにおいて自身の美的センスをオリジナルとして、あるいはお洒落として提示できるならば、女性として従来ショーツでは望めなかった新しい局面を迎えるものとなる。
すなわち、当該ショーツを着装しての映像やグラビア写真などモデルを介する他者における表現、ダンサーの舞台衣装など女性美の新たな表現、女性自身がプライベートシーンにおける魅力を醸成、その向上などが可能であり、女性が主体的に場をリードする機会となる。
【００２３】  従来の腰回りを包むショーツの被服機能を省略したショーツにおいて、組み入れた本発明大股割れ構造により、排泄に際する前後で和服の裾絡上げや、股割れショーツを股から広げる動作、終りに着物を元に戻す終い動作等、排泄行為を全体で容易なものとなる効果を得たもので、以下に図によって説明する。
【００２４】  図１は本発明ショーツの正面斜視図であり、前記被覆機能を省略したショーツにおいて、これを身に着けるとき腰回りに保持されるものは胴廻し１０である。股布帯２０は股布左辺２１と股布右辺２２の２枚を重ねて構成され、その後端を後部胴廻し１１の中央部に固着し、前方へは股に沿って陰部を被覆する長さを確保する。
【００２５】  前記２枚の重ねをずらせて陰部被覆に適した幅を決定し、その２枚同士を固定するための固着手段として面ファスナーなどの着脱自在な固着手段２４によってこれを固着し、股布帯２０の前幅が確定される。後部胴廻し１１と股布帯２０の固着点が大股割構造の支持点（イ）として機能する。
【００２６】  前記ずらせた２枚の股布帯２０の前端部には安定帯３１を、図１に示すように其々に連結設置し、その安定帯３１は股布帯２０と共に胴体の下端周辺部を被覆と抱擁によって保護し、鼠径部にほぼ沿わせて、略Ｖ字形の左右２方向にその端部の牽引方向を決定付け、斜め上方から来る伸縮性を有する装着帯２５の一端と合致し、これを連結して、安定帯３１を２方向に牽引するようにしたことで、前見頃がないにもかかわらず極めて安定した着装の保持が得られるものとなる。
【００２７】  固着手段２４の役割は、２枚で構成される股布帯２０の幅は後方よりも前方が広く必要とするため重ねをずらせて幅を確保すること、及び目的とする股割れを二枚重ねの股布帯で機能させるため、常態においては２枚を固着しておくことにある。この着脱自在な固着手段２４が大股割構造の支持点（ロ）として機能する。
【００２８】  前記装着帯２５の他端部は身体横の腰の位置で、前記胴廻し１０へ其々連結してショーツの身体への装着性を確定させるものとなり、これによって全体が一連化されてショーツとして構成される。この胴廻し１０と装着帯２５の連結点を、後部胴廻し上で更に身体の裏側方向へ寄せることで、両側の支持点をさらに後退させた連結位置とすることも良く、大股割構造にとって良好に作用する。この左右連結点を大股割構造の支持点（ハ）、（ニ）とし、これによる全四箇所の支持点によって大股割構造が構成される。
【００２９】  図１、図２において大股割れを構成する支持点を示し、股布帯２０の前後の端を（イ）、（ロ）の支持点で、及び安定帯３１を左右上方に分岐して装着帯２５を介し、その一端を固着する（ハ）、（ニ）の支持点で、合わせて四支持点で構成し、そのうち前部の点（ロ）を着脱自在にすることで、ショーツの被覆機能と、大股割機能との相反課題を同時に解決した。即ち、安定帯３１には装飾帯４０が左右其々に一体設置されており、固着手段２４によって股布帯が閉じられている時は、装飾帯４０も左右から重なり合いながら被覆領域を被覆し、固着を解除した時は安定帯３１と一体に左右へ離れる機能となる。
【００３０】  図２は固着手段２４の固着を解除して股布帯２０を開いた状態を示し、股割れの構成において、右側に開くものの支持点（ニ）は右側に配置し、左側へ開くものの支持点（ハ）は左側に配置している。この事は左右に開く股割れ各部の動線を交差させることのない配置であり、固着を解除して股布左右辺を開いた其処には交差するものも、左右を繋ぎ止めるものは何も無い状態であり、大股割れの動作を極めて容易とする構成としたものである。固着手段２４は少なくとも１箇所を設置する。
【００３１】  本発明ショーツの股布帯二枚重ねのずれで決定されている股布帯２０の全幅において、その両側端部を少なくとも内に折り返した袋部２７を設けることで、その箇所にナプキンなどの当て物を着脱自在に収容装着する構造とし、当て物の交換時には２枚の重なりを開いて中央から前方へ取り出すことを容易とし、新たな当て物の装着は上から挿入して袋部に沿って滑り込ませることで確かな設置が完了する、という具合に股割れショーツにおける当て物の着脱が容易にできるものとした。
【００３２】  図３は本発明ショーツを身体に着けた使用状況を示す平面図であり、後部支持点（イ）の位置を身体の最後部、すなわち後部胴廻しの中央部に設定したことが大股割作用にとって重要であり、使用に際し前方部支持点（ロ）の固着を解除すると左右を繋ぐものは何も無くなり、股布左辺と右辺を横方から両手によって開く操作をすると股布帯２０は股底の埋没から左右に引き出され、その後方部については支持点（イ）の作用により臀部の丸みを越え上がるので、この時点で着座するのである。
これによって股を離れて股布左辺と右辺は臀部に敷かれることなく、身体横の高い位置にまでずり上って大股割を実現する。股布左辺と右辺の前方部は、図に示すように便座の外部となり、乃至は少なくとも太股部に押え敷かれるので、便座の内に残すことがなく、安心して用を足すことが出来る。
【００３３】  排泄の始まりは着物の裾を下着類とともに大きく捌き上げることであるが、本発明ショーツは肌に張り付く布生地を最大限に省略し、併せて大股割を実現しているため、捌く衣類との摩擦抵抗が削減されることから、速やかなる着物捌きが実現出来、前記のように続いて２枚の股布帯を左右に引くだけで大股割となるその動作が極めて早いため、高まる尿意に迅速に応えられるのみならず、急いだ時でも着崩れに関る帯の締め付け部は上方ウエスト部であり、胴廻し１０とに上下間隔を取り、ここに影響しない効果的な構成としたものである。
【００３４】  図４においては排泄後に腰を浮かせた状態を示し、ここに至るまでの排泄中に行う操作として付属の仮止具２３のフック部を股布左辺と右辺に図のように其々掛止めて股布帯が戻らないようにしておくことで、安心に腰を浮かせることができるものとなる。これによって排泄又は洗浄後の股の清拭処理を済ませ、前記フックを外して固着手段２４を元に戻すことでショーツの具合は戻り、元に戻す着物も前記摩擦抵抗に遭うことなく速やかに下がり直して、排泄を問題なく終らせることができる。
また、図４に示す仮止具２３は軽量な樹脂材で形成され、摺動自在に装着帯２５に付属させることも、両端をフックとして別途付属部品化して携行することも良い。
【００３５】  図５は第２の発明を表す図であり、その後の図７（Ｃ）に示す従来の一般的なＴバック形ショーツから胴廻し１０を省略除去し、それに替わる装着性を確保するための図５、図６に示す、臀部の上方縁部に安定帯３２を配置してこれを極部とし、その左右両端に前記第１の発明に示すものと同様な伸縮性を保持する前記装着帯２５の一端を其々連結し、その他端は身体の前部股方向へ延伸、安定帯ｂ３３の上端へ合致する。
【００３６】  前記した臀部の上方縁部に配置とは、図６に示す背中面と臀部曲面の接点に見られる曲線を臀部上縁部とし、その臀部の膨らみ上の臀部上方位置に、後部安定帯３２を配置することである。この位置は、装着した後部安定帯３２が納まり良く、対極とのほぼ最短距離を結ぶ箇所であり、装着が安定する箇所である。
【００３７】  後部安定帯３２は臀部の膨らみが抵抗となってずり下がり難い場所にあるが、下がり防止を強化する手段として肌と接する面に、柔軟性シリコーンを織り込んでおくと摺り下がりをよく防止する。
【００３８】  股布帯ｂ３０はその後端を前記後部安定帯３２の中央下部に固着連結し、前方へ股に沿いながら陰部を被覆した後その前端に、略Ｖ字形でなる前記安定帯ｂ３３の下端と連結し、Ｖ字形二つの上端と２本の前記装着帯２５他端とを連結してショーツは全体が一連にループ化され、身体へ装着可能となる装着構造である。
【００３９】  上述した装着性確保のための一方の極部に対して、他方対極部たるものは、股布帯ｂ３０及び前記安定帯ｂ３３が一体となって抱擁する胴体の下端前部であり、この対極部の方向性を前記安定帯ｂ３３が図５に示すように二方向に分岐させて、そこへ装着帯２５がもたらす二方向からの緊縮性を作用させ、両極を左右のルートから引き合わせることで、前記省略によってスリム化されて形成されるショーツにおける、身体への装着性が好適に機能し、俯瞰的には身体前面における要点が、左右の腰部と、下方中心である股１点の三角形の作用となって安定するものとなる。
【００４０】  図５に示す装飾帯ｂ４１の設置は被覆実現と同一工程であり、そのデザインとともに後付け部材化したことで創作を独自かつ自在に行うことが可能であり、それによって当該ショーツがオリジナル化される。被覆領域の被覆は必ずしも必須とはならず、それは人体の個体差があり、被覆を必要としない被覆領域主体者の個性が尊重されんがために準備された、また、自身のショーツに自らのお洒落感覚を盛り込むことが可能なオリジナル構成である。
【００４１】  図５，（Ａ）において、安定帯ｂ（３３）に対し装飾体ｂ（４１）が接する部分、又は重なり合う部分４２に着脱自在な固着手段、例えば面ファスナー（図示しない）を介在させることで模様替えを容易に行えるものとして組合せ体を実現した。
【００４２】  図５，（Ｂ）は図５，（Ａ）における安定帯ｂ（３３）を省略して、装飾体ｂ（４１）を直接股布帯ｂ３０に連結するものであり、製造コストを低減する。
【００４３】  文中語句の定義をするならば、
胴廻し１０とは、胴体を一周して身体に装着される穿き衣類の部分であり、
股布帯２０、股布帯ｂ３０とは、本発明における後部胴回し１１、または後部安定帯３２と、陰部被覆点までの股間を被覆保護する股布であり、
股布６２とは、従来ショーツの前見頃６４と後身頃６３の間を繋ぐ股布である。
【符号の説明】
【００４４】１０  胴回し
１１  後部胴回し
１２  前部胴回し
２０  股布帯
２１  股布左辺
２２  股布右辺
２３  仮止具
２４  固着手段
２５  装着帯
２７  袋部
２８  ウエスト部断面
３０  股布帯ｂ
３１  安定帯
３２  後部安定帯
３３  安定帯ｂ
４０  装飾帯
４１  装飾帯ｂ
４２  重なり部
６２  股布
６３  後身頃
６４  前身頃
６５  便座
イ、ロ、ハ、ニ、  大股割支持点
【図１】
2020059961.tif 000003
【図２】
2020059961.tif 000004
【図３】
2020059961.tif 000005
【図４】
2020059961.tif 000006
【図５】
2020059961.tif 000007
【図６】
2020059961.tif 000008
【図７】
2020059961.tif 000009